【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
ユーザ機器によって実施されるワイヤレス通信の方法であって、
キャリアに関連付けられた測定オブジェクトに少なくとも部分的に基づいて前記ユーザ機器の前記キャリアの複数の帯域幅部分に関する１つまたは複数の測定を決定することと、
前記測定オブジェクトに少なくとも部分的に基づいて前記複数の帯域幅部分に関するセル品質を決定することと、
前記測定オブジェクトに少なくとも部分的に基づいて前記１つまたは複数の測定および／または前記セル品質を識別する測定報告を送信することと
を備える、方法。
【請求項２】
前記測定オブジェクトが、前記複数の帯域幅部分のうちのそれぞれの帯域幅部分に対応する複数の異なる測定構成を識別する、請求項１に記載の方法。
【請求項３】
前記測定オブジェクトが、前記測定報告のための複数の異なる報告構成を識別し、ここにおいて、前記複数の異なる報告構成が、前記複数の帯域幅部分のうちのそれぞれの帯域幅部分に対応し、ここにおいて、前記ユーザ機器が、前記ユーザ機器の前記複数の帯域幅部分のうちの少なくとも１つの帯域幅部分に関連付けられた特定の報告構成を識別するように構成された、請求項２に記載の方法。
【請求項４】
前記少なくとも１つの帯域幅部分に対応する、前記複数の異なる測定構成のうちの特定の測定構成は、前記特定の報告構成が前記少なくとも１つの帯域幅部分に関連付けられることを示すポインタを含む、請求項３に記載の方法。
【請求項５】
前記特定の報告構成は、前記特定の報告構成が前記少なくとも１つの帯域幅部分のための特定の測定構成に関連付けられることを示す情報を含む、請求項３に記載の方法。
【請求項６】
前記複数の帯域幅部分のうちの帯域幅部分が同期信号を含まないとき、前記帯域幅部分のための測定構成が、
前記帯域幅部分に関連付けられた中心周波数、
別の帯域幅部分または別のキャリア中の同期信号に関連付けられたポインタ、
前記帯域幅部分に関連付けられた帯域幅、あるいは
前記帯域幅部分のための基準信号構成
のうちの少なくとも１つを識別する、請求項１に記載の方法。
【請求項７】
前記セル品質が、前記複数の帯域幅部分のうちの特定の１つにおける測定に少なくとも部分的に基づいて決定される、請求項１に記載の方法。
【請求項８】
前記セル品質が、物理ブロードキャストチャネルを含む帯域幅部分における測定に少なくとも部分的に基づいて決定される、請求項１に記載の方法。
【請求項９】
前記物理ブロードキャストチャネルが、前記キャリアを提供するセルの唯一の物理ブロードキャストチャネルである、請求項８に記載の方法。
【請求項１０】
前記物理ブロードキャストチャネルが、前記複数の帯域幅部分のうちの単一の帯域幅部分上で提供される、請求項８に記載の方法。
【請求項１１】
前記測定報告が、前記複数の帯域幅部分に関する前記１つまたは複数の測定の値を含む、請求項１に記載の方法。
【請求項１２】
前記測定報告が、
周期的報告、または
トリガされた報告
のうちの少なくとも１つであり、ここにおいて、前記測定報告が報告構成に少なくとも部分的に基づく、請求項１に記載の方法。
【請求項１３】
前記測定報告が、セル品質しきい値に少なくとも部分的に基づいてトリガされる、請求項１に記載の方法。
【請求項１４】
前記セル品質しきい値が、同期信号のための第１のしきい値または基準信号のための第２のしきい値に少なくとも部分的に基づき、
ここにおいて、前記第１のしきい値または前記第２のしきい値が、前記ユーザ機器の報告構成に少なくとも部分的に基づいて使用される、
請求項１３に記載の方法。
【請求項１５】
前記１つまたは複数の測定が、無線リソース制御レイヤフィルタ処理技法に少なくとも部分的に基づいて決定される、請求項１に記載の方法。
【請求項１６】
前記１つまたは複数の測定が、報告構成に従って同期信号または基準信号に少なくとも部分的に基づいて選択的に決定される、請求項１に記載の方法。
【請求項１７】
基地局によって実施されるワイヤレス通信の方法であって、
キャリアにおけるユーザ機器の測定オブジェクトを構成することと、
ここにおいて、前記測定オブジェクトが、複数の帯域幅部分のための複数の測定構成と、前記複数の帯域幅部分のための対応する報告構成とを含む、
前記ユーザ機器から、前記複数の帯域幅部分のうちの第１の帯域幅部分から第２の帯域幅部分に切り替えるための能力を識別する情報を受信することと、
前記能力および／または前記測定オブジェクトに少なくとも部分的に基づいて前記ユーザ機器の切替えパターンを構成することと
を備える、方法。
【請求項１８】
前記能力が、少なくとも、前記第１の帯域幅部分から前記第２の帯域幅部分に切り替えるためのレイテンシを含む、請求項１７に記載の方法。
【請求項１９】
前記能力が、ダウンリンク帯域幅部分間で切り替えるためのものである、請求項１７に記載の方法。
【請求項２０】
前記能力が、アップリンク帯域幅部分間で切り替えるためのものである、請求項１７に記載の方法。
【請求項２１】
前記能力が、前記第１の帯域幅部分のためのシグナリング手法および前記第２の帯域幅部分のためのシグナリング手法に少なくとも部分的に基づく、請求項１７に記載の方法。
【請求項２２】
ユーザ機器によって実施されるワイヤレス通信の方法であって、
前記ユーザ機器の複数のアクティブ化された帯域幅部分に関して、しきい値が満たされると決定することと、
前記複数のアクティブ化された帯域幅部分に関して、復元または変更を引き起こすためのメッセージを送信することと
を備える、方法。
【請求項２３】
前記メッセージが、競合ベースランダムアクセスメッセージである、請求項２２に記載の方法。
【請求項２４】
前記しきい値が、前記複数のアクティブ化された帯域幅部分に関連付けられた信号品質値または負荷のうちの少なくとも１つに関する、請求項２２に記載の方法。
【請求項２５】
アップリンク帯域幅部分における前記メッセージのためのリソースが、前記複数のアクティブ化された帯域幅部分のうちの帯域幅部分の残存システム情報中で示される、請求項２２に記載の方法。
【請求項２６】
前記メッセージが、アップリンク帯域幅部分の事前構成されたリソース中で送信される、請求項２２に記載の方法。
【請求項２７】
しきい値長さの時間内に前記メッセージへの応答を受信しないことに少なくとも部分的に基づいて前記メッセージを再送信することをさらに備える、請求項２２に記載の方法。
【請求項２８】
前記しきい値が満たされると決定することは、前記しきい値が、しきい値長さの時間の間、満たされると決定することを備える、請求項２２に記載の方法。
【請求項２９】
ワイヤレス通信のための装置であって、
キャリアに関連付けられた測定オブジェクトに少なくとも部分的に基づいて前記装置の前記キャリアの複数の帯域幅部分に関する１つまたは複数の測定を決定するための手段と、
前記測定オブジェクトに少なくとも部分的に基づいて前記複数の帯域幅部分に関するセル品質を決定するための手段と、
前記測定オブジェクトに少なくとも部分的に基づいて前記１つまたは複数の測定または前記セル品質のうちの少なくとも１つを識別する測定報告を送信するための手段と、
を備える、装置。
【請求項３０】
前記測定オブジェクトが、前記複数の帯域幅部分のうちのそれぞれの帯域幅部分に対応する複数の異なる測定構成を識別する、請求項２９に記載の装置。
【請求項３１】
前記セル品質が、前記複数の帯域幅部分のうちの特定の１つにおける測定に少なくとも部分的に基づいて決定される、請求項２９に記載の装置。
【請求項３２】
前記セル品質が、物理ブロードキャストチャネルを含む帯域幅部分における測定に少なくとも部分的に基づいて決定される、請求項２９に記載の装置。
【請求項３３】
前記物理ブロードキャストチャネルが、前記キャリアを提供するセルの唯一の物理ブロードキャストチャネルである、請求項３２に記載の装置。
【請求項３４】
前記物理ブロードキャストチャネルが、前記複数の帯域幅部分のうちの単一の帯域幅部分上で提供される、請求項３２に記載の装置。
【請求項３５】
ワイヤレス通信のための装置であって、
キャリアにおけるユーザ機器の測定オブジェクトを構成するための手段と、
ここにおいて、前記測定オブジェクトは、複数の帯域幅部分のための複数の測定構成と、前記複数の帯域幅部分のための対応する報告構成とを含み、
前記ユーザ機器から、前記複数の帯域幅部分のうちの第１の帯域幅部分から第２の帯域幅部分に切り替えるための能力を識別する情報を受信するための手段と、
前記能力および／または前記測定オブジェクトに少なくとも部分的に基づいて前記ユーザ機器の切替えパターンを構成するための手段と、
を備える、装置。
【請求項３６】
前記能力が、少なくとも、前記第１の帯域幅部分から前記第２の帯域幅部分に切り替えるためのレイテンシを含む、請求項３５に記載の装置。
【請求項３７】
前記能力が、前記第１の帯域幅部分のためのシグナリング手法および前記第２の帯域幅部分のためのシグナリング手法に少なくとも部分的に基づく、請求項３５に記載の装置。
【請求項３８】
ワイヤレス通信のための装置であって、
前記装置の複数のアクティブ化された帯域幅部分に関して、しきい値が満たされると決定するための手段と、
前記複数のアクティブ化された帯域幅部分に関して、復元または変更を引き起こすためのメッセージを送信するための手段と、
を備える、装置。
【請求項３９】
前記メッセージが、競合ベースランダムアクセスメッセージである、請求項３８に記載の装置。
【請求項４０】
アップリンク帯域幅部分における前記メッセージのためのリソースが、前記複数のアクティブ化された帯域幅部分のうちの帯域幅部分の残存システム情報中で示される、請求項３８に記載の装置。
【手続補正２】
【補正対象書類名】明細書
【補正対象項目名】０１１９
【補正方法】変更
【補正の内容】
【０１１９】
[00128]本明細書で使用されるいかなる要素、行為、または命令も、明示的にそのように説明されない限り、重要または必須と解釈されるべきではない。また、本明細書で使用される冠詞「ａ」および「ａｎ」は、１つまたは複数の項目を含むものであり、「１つまたは複数」と互換的に使用され得る。さらに、本明細書で使用される「セット」および「グループ」という用語は、１つまたは複数の項目（たとえば、関係する項目、無関係の項目、関係する項目と無関係の項目の組合せなど）を含むものであり、「１つまたは複数」と互換的に使用され得る。１つの項目のみが意図される場合、「１つ」という用語または同様の言い回しが使用される。また、本明細書で使用される「有する（ｈａｓ）」、「有する（ｈａｖｅ）」、「有する（ｈａｖｉｎｇ）」などの用語は、オープンエンド用語であるものとする。さらに、「に基づく」という句は、別段に明記されていない限り、「に少なくとも部分的に基づく」を意味するものである。
以下に本願の出願当初の特許請求の範囲に記載された発明を付記する。
［Ｃ１］
ユーザ機器によって実施されるワイヤレス通信の方法であって、
キャリアに関連付けられた測定オブジェクトに少なくとも部分的に基づいて前記ユーザ機器の前記キャリアの複数の帯域幅部分に関する１つまたは複数の測定を決定することと、
前記測定オブジェクトに少なくとも部分的に基づいて前記複数の帯域幅部分に関するセル品質を決定することと、
前記測定オブジェクトに少なくとも部分的に基づいて前記１つまたは複数の測定および／または前記セル品質を識別する測定報告を送信することと
を備える、方法。
［Ｃ２］
前記測定オブジェクトが、前記複数の帯域幅部分のうちのそれぞれの帯域幅部分に対応する複数の異なる測定構成を識別する、Ｃ１に記載の方法。
［Ｃ３］
前記測定オブジェクトが、前記測定報告のための複数の異なる報告構成を識別し、ここにおいて、前記複数の異なる報告構成が、前記複数の帯域幅部分のうちのそれぞれの帯域幅部分に対応し、ここにおいて、前記ユーザ機器が、前記ユーザ機器の前記複数の帯域幅部分のうちの少なくとも１つの帯域幅部分に関連付けられた特定の報告構成を識別するように構成された、Ｃ２に記載の方法。
［Ｃ４］
前記少なくとも１つの帯域幅部分に対応する、前記複数の異なる測定構成のうちの特定の測定構成は、前記特定の報告構成が前記少なくとも１つの帯域幅部分に関連付けられることを示すポインタを含む、Ｃ３に記載の方法。
［Ｃ５］
前記特定の報告構成は、前記特定の報告構成が前記少なくとも１つの帯域幅部分のための特定の測定構成に関連付けられることを示す情報を含む、Ｃ３に記載の方法。
［Ｃ６］
前記複数の帯域幅部分のうちの帯域幅部分が同期信号を含まないとき、前記帯域幅部分のための測定構成が、
前記帯域幅部分に関連付けられた中心周波数、
別の帯域幅部分または別のキャリア中の同期信号に関連付けられたポインタ、
前記帯域幅部分に関連付けられた帯域幅、あるいは
前記帯域幅部分のための基準信号構成
のうちの少なくとも１つを識別する、Ｃ１に記載の方法。
［Ｃ７］
前記セル品質が、前記複数の帯域幅部分のうちの特定の１つにおける測定に少なくとも部分的に基づいて決定される、Ｃ１に記載の方法。
［Ｃ８］
前記セル品質が、物理ブロードキャストチャネルを含む帯域幅部分における測定に少なくとも部分的に基づいて決定される、Ｃ１に記載の方法。
［Ｃ９］
前記物理ブロードキャストチャネルが、前記キャリアを提供するセルの唯一の物理ブロードキャストチャネルである、Ｃ８に記載の方法。
［Ｃ１０］
前記物理ブロードキャストチャネルが、前記複数の帯域幅部分のうちの単一の帯域幅部分上で提供される、Ｃ８に記載の方法。
［Ｃ１１］
前記測定報告が、前記複数の帯域幅部分に関する前記１つまたは複数の測定の値を含む、Ｃ１に記載の方法。
［Ｃ１２］
前記測定報告が、
周期的報告、または
トリガされた報告
のうちの少なくとも１つであり、ここにおいて、前記測定報告が報告構成に少なくとも部分的に基づく、Ｃ１に記載の方法。
［Ｃ１３］
前記測定報告が、セル品質しきい値に少なくとも部分的に基づいてトリガされる、Ｃ１に記載の方法。
［Ｃ１４］
前記セル品質しきい値が、同期信号のための第１のしきい値または基準信号のための第２のしきい値に少なくとも部分的に基づき、
ここにおいて、前記第１のしきい値または前記第２のしきい値が、前記ユーザ機器の報告構成に少なくとも部分的に基づいて使用される、
Ｃ１３に記載の方法。
［Ｃ１５］
前記１つまたは複数の測定が、無線リソース制御レイヤフィルタ処理技法に少なくとも部分的に基づいて決定される、Ｃ１に記載の方法。
［Ｃ１６］
前記１つまたは複数の測定が、報告構成に従って同期信号または基準信号に少なくとも部分的に基づいて選択的に決定される、Ｃ１に記載の方法。
［Ｃ１７］
基地局によって実施されるワイヤレス通信の方法であって、
キャリアにおけるユーザ機器の測定オブジェクトを構成することと、
ここにおいて、前記測定オブジェクトが、複数の帯域幅部分のための複数の測定構成と、前記複数の帯域幅部分のための対応する報告構成とを含む、
前記ユーザ機器から、前記複数の帯域幅部分のうちの第１の帯域幅部分から第２の帯域幅部分に切り替えるための能力を識別する情報を受信することと、
前記能力および／または前記測定オブジェクトに少なくとも部分的に基づいて前記ユーザ機器の切替えパターンを構成することと
を備える、方法。
［Ｃ１８］
前記能力が、少なくとも、前記第１の帯域幅部分から前記第２の帯域幅部分に切り替えるためのレイテンシを含む、Ｃ１７に記載の方法。
［Ｃ１９］
前記能力が、ダウンリンク帯域幅部分間で切り替えるためのものである、Ｃ１７に記載の方法。
［Ｃ２０］
前記能力が、アップリンク帯域幅部分間で切り替えるためのものである、Ｃ１７に記載の方法。
［Ｃ２１］
前記能力が、前記第１の帯域幅部分のためのシグナリング手法および前記第２の帯域幅部分のためのシグナリング手法に少なくとも部分的に基づく、Ｃ１７に記載の方法。
［Ｃ２２］
ユーザ機器によって実施されるワイヤレス通信の方法であって、
前記ユーザ機器の複数のアクティブ化された帯域幅部分に関して、しきい値が満たされると決定することと、
前記複数のアクティブ化された帯域幅部分に関して、復元または変更を引き起こすためのメッセージを送信することと
を備える、方法。
［Ｃ２３］
前記メッセージが、競合ベースランダムアクセスメッセージである、Ｃ２２に記載の方法。
［Ｃ２４］
前記しきい値が、前記複数のアクティブ化された帯域幅部分に関連付けられた信号品質値または負荷のうちの少なくとも１つに関する、Ｃ２２に記載の方法。
［Ｃ２５］
アップリンク帯域幅部分における前記メッセージのためのリソースが、前記複数のアクティブ化された帯域幅部分のうちの帯域幅部分の残存システム情報中で示される、Ｃ２２に記載の方法。
［Ｃ２６］
前記メッセージが、アップリンク帯域幅部分の事前構成されたリソース中で送信される、Ｃ２２に記載の方法。
［Ｃ２７］
しきい値長さの時間内に前記メッセージへの応答を受信しないことに少なくとも部分的に基づいて前記メッセージを再送信することをさらに備える、Ｃ２２に記載の方法。
［Ｃ２８］
前記しきい値が満たされると決定することは、前記しきい値が、しきい値長さの時間の間、満たされると決定することを備える、Ｃ２２に記載の方法。
［Ｃ２９］
ワイヤレス通信のためのユーザ機器であって、
メモリと、
前記メモリに動作可能に結合された１つまたは複数のプロセッサとを備え、前記メモリおよび前記１つまたは複数のプロセッサは、
キャリアに関連付けられた測定オブジェクトに少なくとも部分的に基づいて前記ユーザ機器の前記キャリアの複数の帯域幅部分に関する１つまたは複数の測定を決定することと、
前記測定オブジェクトに少なくとも部分的に基づいて前記複数の帯域幅部分に関するセル品質を決定することと、
前記測定オブジェクトに少なくとも部分的に基づいて前記１つまたは複数の測定および／または前記セル品質を識別する測定報告を送信することと
を行うように構成された、
ユーザ機器。
［Ｃ３０］
前記測定オブジェクトが、前記複数の帯域幅部分のうちのそれぞれの帯域幅部分に対応する複数の異なる測定構成を識別する、Ｃ２９に記載のユーザ機器。
［Ｃ３１］
前記セル品質が、前記複数の帯域幅部分のうちの特定の１つにおける測定に少なくとも部分的に基づいて決定される、Ｃ２９に記載のユーザ機器。
［Ｃ３２］
前記セル品質が、物理ブロードキャストチャネルを含む帯域幅部分における測定に少なくとも部分的に基づいて決定される、Ｃ２９に記載のユーザ機器。
［Ｃ３３］
前記物理ブロードキャストチャネルが、前記キャリアを提供するセルの唯一の物理ブロードキャストチャネルである、Ｃ３２に記載のユーザ機器。
［Ｃ３４］
前記物理ブロードキャストチャネルが、前記複数の帯域幅部分のうちの単一の帯域幅部分上で提供される、Ｃ３２に記載のユーザ機器。
［Ｃ３５］
ワイヤレス通信のための基地局であって、
メモリと、
前記メモリに動作可能に結合された１つまたは複数のプロセッサとを備え、前記メモリおよび前記１つまたは複数のプロセッサは、
キャリアにおけるユーザ機器の測定オブジェクトを構成することと、
ここにおいて、前記測定オブジェクトが、複数の帯域幅部分のための複数の測定構成と、前記複数の帯域幅部分のための対応する報告構成とを含む、
前記ユーザ機器から、前記複数の帯域幅部分のうちの第１の帯域幅部分から第２の帯域幅部分に切り替えるための能力を識別する情報を受信することと、
前記能力および／または前記測定オブジェクトに少なくとも部分的に基づいて前記ユーザ機器の切替えパターンを構成することと
を行うように構成された、
基地局。
［Ｃ３６］
前記能力が、少なくとも、前記第１の帯域幅部分から前記第２の帯域幅部分に切り替えるためのレイテンシを含む、Ｃ３５に記載の基地局。
［Ｃ３７］
前記能力が、前記第１の帯域幅部分のためのシグナリング手法および前記第２の帯域幅部分のためのシグナリング手法に少なくとも部分的に基づく、Ｃ３５に記載の基地局。
［Ｃ３８］
ワイヤレス通信のためのユーザ機器であって、
メモリと、
前記メモリに動作可能に結合された１つまたは複数のプロセッサとを備え、前記メモリおよび前記１つまたは複数のプロセッサは、
前記ユーザ機器の複数のアクティブ化された帯域幅部分に関して、しきい値が満たされると決定することと、
前記複数のアクティブ化された帯域幅部分に関して、復元または変更を引き起こすためのメッセージを送信することと
を行うように構成された、
ユーザ機器。
［Ｃ３９］
前記メッセージが、競合ベースランダムアクセスメッセージである、Ｃ３８に記載のユーザ機器。
［Ｃ４０］
アップリンク帯域幅部分における前記メッセージのためのリソースが、前記複数のアクティブ化された帯域幅部分のうちの帯域幅部分の残存システム情報中で示される、Ｃ３８に記載のユーザ機器。
［Ｃ４１］
ワイヤレス通信のための１つまたは複数の命令を記憶する非一時的コンピュータ可読媒体であって、前記１つまたは複数の命令は、
ユーザ機器の１つまたは複数のプロセッサによって実行されたとき、前記１つまたは複数のプロセッサに、
キャリアに関連付けられた測定オブジェクトに少なくとも部分的に基づいて前記ユーザ機器の前記キャリアの複数の帯域幅部分に関する１つまたは複数の測定を決定することと、
前記測定オブジェクトに少なくとも部分的に基づいて前記複数の帯域幅部分に関するセル品質を決定することと、
前記測定オブジェクトに少なくとも部分的に基づいて前記１つまたは複数の測定および／または前記セル品質を識別する測定報告を送信することと
を行わせる、１つまたは複数の命令
を備える、非一時的コンピュータ可読媒体。
［Ｃ４２］
ワイヤレス通信のための１つまたは複数の命令を記憶する非一時的コンピュータ可読媒体であって、前記１つまたは複数の命令は、
基地局の１つまたは複数のプロセッサによって実行されたとき、前記１つまたは複数のプロセッサに、
キャリアにおけるユーザ機器の測定オブジェクトを構成することと、
ここにおいて、前記測定オブジェクトが、複数の帯域幅部分のための複数の測定構成と、前記複数の帯域幅部分のための対応する報告構成とを含む、
前記ユーザ機器から、前記複数の帯域幅部分のうちの第１の帯域幅部分から第２の帯域幅部分に切り替えるための能力を識別する情報を受信することと、
前記能力および／または前記測定オブジェクトに少なくとも部分的に基づいて前記ユーザ機器の切替えパターンを構成することと
を行わせる、１つまたは複数の命令
を備える、非一時的コンピュータ可読媒体。
［Ｃ４３］
ワイヤレス通信のための１つまたは複数の命令を記憶する非一時的コンピュータ可読媒体であって、前記１つまたは複数の命令は、
ユーザ機器の１つまたは複数のプロセッサによって実行されたとき、前記１つまたは複数のプロセッサに、
前記ユーザ機器の複数のアクティブ化された帯域幅部分に関して、しきい値が満たされると決定することと、
前記複数のアクティブ化された帯域幅部分に関して、復元または変更を引き起こすためのメッセージを送信することと
を行わせる、１つまたは複数の命令
を備える、非一時的コンピュータ可読媒体。
［Ｃ４４］
ワイヤレス通信のための装置であって、
キャリアに関連付けられた測定オブジェクトに少なくとも部分的に基づいて前記装置の前記キャリアの複数の帯域幅部分に関する１つまたは複数の測定を決定するための手段と、
前記測定オブジェクトに少なくとも部分的に基づいて前記複数の帯域幅部分に関するセル品質を決定するための手段と、
前記測定オブジェクトに少なくとも部分的に基づいて前記１つまたは複数の測定または前記セル品質のうちの少なくとも１つを識別する測定報告を送信するための手段と
を備える、装置。
［Ｃ４５］
ワイヤレス通信のための装置であって、
キャリアにおけるユーザ機器の測定オブジェクトを構成するための手段と、
ここにおいて、前記測定オブジェクトが、複数の帯域幅部分のための複数の測定構成と、前記複数の帯域幅部分のための対応する報告構成とを含む、
前記ユーザ機器から、前記複数の帯域幅部分のうちの第１の帯域幅部分から第２の帯域幅部分に切り替えるための能力を識別する情報を受信するための手段と、
前記能力および／または前記測定オブジェクトに少なくとも部分的に基づいて前記ユーザ機器の切替えパターンを構成するための手段と
を備える、装置。
［Ｃ４６］
ワイヤレス通信のための装置であって、
前記装置の複数のアクティブ化された帯域幅部分に関して、しきい値が満たされると決定するための手段と、
前記複数のアクティブ化された帯域幅部分に関して、復元または変更を引き起こすためのメッセージを送信するための手段と
を備える、装置。